(57)【要約】【課題】  パネルの枠への取付け、パネルの枠への固定が容易に行え、組み立てが容易な遊技盤の前面扉の提供。【解決手段】  左右縦枠部１ａ，１ｂと上枠部２とを一体に形成した三方枠３と、三方枠の開放端を連結する下枠４と、三方枠と下枠とを連結する二つのコーナー連結具５ａ，５ｂと、内外のパネル６ａ，６ｂと、三方枠用及び下枠用の中間ビード７ａ，７ｂと、内ビード８ａと、外ビード８ｂとを備え、三方枠は、内周側に内パネル取付溝９ａと外パネル取付溝９ｂを有し、下枠は、内周側に内パネル取付溝９ａと外パネル取付溝９ｂを有しており、三方枠用及び下枠用の中間ビード７ａ，７ｂは、各々三方枠及び下枠の内パネル取付溝の底１０ａから外パネル取付溝の底１０ｂまで内外パネル取付溝間の側壁１１ｂ，１１ｃを挟んで連続するものであり、内ビード８ａは、内パネル取付溝の側壁１１ａと内パネル６ａの間に嵌め込んであり、外ビード８ｂは、外パネル取付溝の側壁１１ｄと外パネル６ｂの間に嵌め込んである。【選択図】      図１
2007202992.tif 000002
【特許請求の範囲】
【請求項１】
左右縦枠部と上枠部とを一体に形成した三方枠と、三方枠の開放端を連結する下枠と、三方枠と下枠とを連結する二つのコーナー連結具と、内外のパネルと、三方枠用及び下枠用の中間ビードと、内ビードと、外ビードとを備え、三方枠は、内周側に内パネル取付溝と外パネル取付溝を有し、下枠は、内周側に内パネル取付溝と外パネル取付溝を有しており、三方枠用及び下枠用の中間ビードは、各々三方枠及び下枠の内パネル取付溝の底から外パネル取付溝の底まで内外パネル取付溝間の側壁を挟んで連続するものであり、内ビードは、内パネル取付溝の側壁と内パネルの間に嵌め込んであり、外ビードは、外パネル取付溝の側壁と外パネルの間に嵌め込んであることを特徴とする遊技盤の前面扉。
【請求項２】
コーナー連結具は、縦辺部と横辺部とを有し、縦辺部を三方枠の縦枠部の外周側に設けた保持溝に差し込んでかしめ固定してあり、横辺部を下枠の外周側に設けた保持溝に差し込んでかしめ固定してあるとともに、コーナー連結具の一つは縦辺部にヒンジ部を設けてあることを特徴とする請求項１記載の遊技盤の前面扉。
【発明の詳細な説明】
【技術分野】
【０００１】
本発明は、パチンコ遊技機等の遊技盤の前面に設置される扉に関する。
【背景技術】
【０００２】
パチンコ遊技機は、前面に取付けられる表枠に遊技盤の遊技領域を臨む窓が形成してあり、表枠の裏側にはガラス等の透明なパネルを使用した扉がヒンジで開閉自在に取付けてある。この扉は、遊技者による不正な行為を防止すると共に遮音性を高めるために、金属製の枠の内側に２枚のガラスが前後に間隔をおいて二重に配置してある。
特許文献１記載の扉は、４本の枠材をＬ形のコーナー連結具で連結して矩形の枠を形成し、ヒンジと反対側の縦枠側から２枚のガラスを上下枠のガラス装着溝に差し込んで取付けている。一方の縦枠と上下枠とを連結するコーナー連結具には、ヒンジ部が設けてある。
特許文献２記載の扉は、２条のガラス装着溝を有するアルミ押出形材を折り曲げて側方が開放した三方枠を形成し、三方枠の端部間に縦枠を渡して矩形の枠本体を形成し、同縦枠側から２枚のガラスを三方枠のガラス装着溝に差し込んで組み立て、三方枠の上下のコーナー部にヒンジ金具（枢着片）を取付けている。
【０００３】
特許文献１記載の扉は、枠が４本の枠材と４個のコーナー連結具とからなり、部品数が多いために組み立てに手間がかかる。特許文献２記載の扉は、ヒンジ金具を枠に後から取り付ける必要がある。
また特許文献１，２記載の扉は、枠を矩形に組んだあとで、枠の側方から上下枠のガラス装着溝に差し込むようにしてガラスを取付けており（特許文献１段落[００１１]、特許文献２段落[００１９]参照。）、枠の組み立てとガラスの取付け作業を別々に行う必要があるために扉の組立てが煩雑であるばかりか、ガラス装着溝の溝幅をガラスの板厚に対してぴったりの寸法にしたときにはガラスの差し込みが容易ではないし、ガラス装着溝の溝幅に余裕を持たせると、取付けたガラスがガタ付いたり脱落したりするおそれがある。また、ガラス装着溝にビード等を介さずに直接ガラスを保持しているので、ガラスの固定が十分ではなかった。
【特許文献１】特開２００２−４５５４５号公報
【特許文献２】特開平８−３３２２６９号公報
【発明の開示】
【発明が解決しようとする課題】
【０００４】
本発明は以上に述べた実情に鑑み、パネルの枠への取付け、パネルの枠への固定が容易に行え、組み立てが容易な遊技盤の前面扉の提供を目的とする
【課題を解決するための手段】
【０００５】
上記の課題を達成するために請求項１記載の発明による遊技盤の前面扉は、左右縦枠部と上枠部とを一体に形成した三方枠と、三方枠の開放端を連結する下枠と、三方枠と下枠とを連結する二つのコーナー連結具と、内外のパネルと、三方枠用及び下枠用の中間ビードと、内ビードと、外ビードとを備え、三方枠は、内周側に内パネル取付溝と外パネル取付溝を有し、下枠は、内周側に内パネル取付溝と外パネル取付溝を有しており、三方枠用及び下枠用の中間ビードは、各々三方枠及び下枠の内パネル取付溝の底から外パネル取付溝の底まで内外パネル取付溝間の側壁を挟んで連続するものであり、内ビードは、内パネル取付溝の側壁と内パネルの間に嵌め込んであり、外ビードは、外パネル取付溝の側壁と外パネルの間に嵌め込んであることを特徴とする。
【０００６】
請求項２記載の発明による遊技盤の前面扉は、請求項１記載の発明の構成に加え、コーナー連結具は、縦辺部と横辺部とを有し、縦辺部を三方枠の縦枠部の外周側に設けた保持溝に差し込んでかしめ固定してあり、横辺部を下枠の外周側に設けた保持溝に差し込んでかしめ固定してあるとともに、コーナー連結具の一つは縦辺部にヒンジ部を設けてあることを特徴とする。
【発明の効果】
【０００７】
請求項１記載の発明による遊技盤の前面扉は、三方枠と下枠と二つのコーナー連結具とで枠が構成され、部品数が少なくなっており、しかも、中間ビードのみを三方枠と下枠に先付けして、パネルの周縁部を三方枠と下枠のパネル取付溝に差し込むことで、パネル取付溝に対してパネルが融通性があるためパネルの枠への取付けが容易に行え、且つ三方枠と下枠とをコーナー連結具で連結する際に同時にパネルを取付けできるため、扉の組み立てが容易である。さらに、内ビードと外ビードを、枠にパネルを取付けたあとからパネル取付溝の側壁とパネルの間にそれぞれ嵌め込むことで、パネルの枠への固定が容易に行え、内外のパネルを強固に固定することができる。
【０００８】
請求項２記載の発明による遊技盤の前面扉は、上記請求項１記載の発明の効果に加え、コーナー連結具の縦辺部を三方枠の縦枠部の外周側に設けた保持溝に差し込んでかしめ固定し、コーナー連結具の横辺部を下枠の外周側に設けた保持溝に差し込んでかしめ固定したので、三方枠の縦枠部と下枠との位置合わせが容易で組立てが一層容易に行え、且つコーナー連結具の縦辺部と横辺部がぶれないので、ねじれに強い堅牢な扉になる。また、一つのコーナー連結具の縦辺部にヒンジ部を設けたので、ヒンジを枠に別途取付ける必要がなく、組み立て時間を一層短縮できると共に、パネルの自重、三方枠と下枠との接合力がヒンジ部に直接伝わるため、下枠が外れてパネルが脱落したり、ヒンジ部がガタついて扉が傾いたりすることがない。
【発明を実施するための最良の形態】
【０００９】
以下、本発明の実施の形態を図面に基づいて説明する。図２は、本発明の遊技盤の前面扉１６の一実施形態を示す正面図であり、図３（ａ）は図２のＡ−Ａ断面図、図３（ｂ）は図２のＢ−Ｂ断面図、図１はこの扉１６を分解した状態で示す正面図である。この扉１６は、左右縦枠部１ａ，１ｂと円弧状の上枠部２とを一体に形成した三方枠３の開放端に、下枠４をコーナー連結具５ａ，５ｂで連結して枠１７を構成し、枠１７内に内パネル６ａと外パネル６ｂの２枚のパネルを嵌め込んである。各パネル６ａ，６ｂの周縁部は、図３（ａ）（ｂ）に示すように、中間ビード７ａ，７ｂと内ビード８ａと外ビード８ｂとにより、枠１７の内周側のパネル取付溝９ａ，９ｂに固定してある。
【００１０】
下枠４は、アルミニウム合金の押出形材よりなり、図４（ａ）に示すように、枠内周側にあたる上面側に内パネル取付溝９ａと外パネル取付溝９ｂを設けてある。内パネル取付溝９ａの側壁１１ａ、外パネル取付溝９ｂの側壁１１ｄ、内外パネル取付溝間の側壁１１ｂ，１１ｃの先端部には、それぞれ溝の内側に突き出た突起１８を有している。下枠４の枠外周側にあたる下面側には、コーナー連結具５ａ，５ｂの横辺部１３ａ，１３ｂを差し込んでかしめ固定するための保持溝１４を設けてある。保持溝１４は、開口縁部が内側に折れ曲がったリップ溝形に形成されている。下枠４の両端部は、斜め４５°に切断されている。
三方枠３は、下枠４と同じ断面形状のアルミニウム合金の押出形材を曲げ加工して形成したものであり、内周側には内パネル取付溝９ａと外パネル取付溝９ｂを有し、外周側にコーナー連結具５ａ，５ｂの縦辺部１２ａ，１２ｂを差し込んでかしめ固定するための保持溝１４を有している。左右縦枠部１ａ，１ｂの下端部は、斜め４５°に切断されている。
【００１１】
左側のコーナー連結具５ａは、図５（ａ）に示すように、金属の板をプレス加工して、板状の縦辺部１２ａと横辺部１３ａを有する略Ｌ字形に形成してある。縦辺部１２ａには、上部と下部の２箇所にヒンジ部１５が縦辺部１２ａと一体に形成してある。ヒンジ部１５は、縦辺部１２ａを切り起こして水平板部１５ａを形成し、水平板部１５ａの下面に垂直軸１５ｂを溶接して形成している。さらに縦辺部１２ａは、保持溝１４に差し込みやすいように先端の角部を斜めに面取りし、側縁部にはかしめ固定用に複数の切り欠き１９が設けてある。この縦辺部１２ａは、三方枠３の左側の縦枠部１ａの保持溝１４に下方より差し込み、保持溝１４周囲の壁を縦辺部１２ａの切り欠き１９内に押し込むようにかしめることで固定される。横辺部１３ａは、先端部を二股状に形成し、その両側に爪部２０を突出して設けてある。この横辺部１３ａは、下枠４の保持溝１４に側方から差し込むと、先端部が若干狭まるように変形して両側の爪部２０が保持溝１４の内側面に係止し、さらに保持溝１４周囲の壁を爪部２０の後側に形成された切り欠き部２１に押し込むようにかしめることで強固に固定される。
右側のコーナー連結具５ｂは、図５（ｂ）に示すように、縦辺部１２ｂの上部と下部の２箇所に、施錠用の係止板部２２が縦辺部１２ｂと一体に設けてある。それ以外の部分は、左側のコーナー連結具５ａと同じように形成してあり、縦辺部１２ｂと横辺部１３ｂを三方枠縦枠部１ｂと下枠４の保持溝１４にそれぞれ差し込んでかしめ固定される。
【００１２】
中間ビード７ａ，７ｂは、三方枠３と下枠４を連結する前に、三方枠３と下枠４の内周側に個々に取付けられるものであり、図４（ａ）に示すように、下側に開口したコ字形の取付部２３と、取付部２３の下端より両側にのびる溝底当接部２４，２４を有し、図４（ｂ）に示すように、取付部２３で内外パネル取付溝間の側壁１１ｂ，１１ｃを挟むようにして取付けられる。取付部２３の両縦壁部の内側には、斜め上向きの係止片２５が設けてあり、取付状態で係止片２５がパネル取付溝側壁上部の突起１８に係止し、中間ビード７ａ，７ｂが容易に外れなくなる。取付部２３の両縦壁部の外側面には、下向きのパネル押え片２６とシール部２７とが設けてある。
内パネル６ａと外パネル６ｂは、ガラス製で、枠１７の内周よりも若干大きい形状で形成してあって、三方枠３と下枠４を組むのと同時に、三方枠３と下枠４のパネル取付溝９ａ，９ｂに周縁部を差し込んで取付けられる。
内ビード８ａは、図４（ｃ）に示すように、枠１７にパネル６ａ，６ｂを取付けた後から、内パネル取付溝の側壁１１ａと内パネル６ａの間に嵌め込むものであり、先端部に差し込みテーパー部２８を有し、外側面に内パネル取付溝の側壁１１ａ上端の突起１８に係止する溝２９を有し、内側面に上向きのパネル押さえ片３０とシール部３１とを有している。内ビード８ａは、三方枠３に取付けられる部分と下枠４に取付けられる部分とに分離することなく、一本に形成してある。
外ビード８ｂは内ビード８ａと同様に形成してあって、枠１７にパネル６ａ，６ｂを取付けた後から、外パネル取付溝の側壁１１ｄと外パネル６ｂの間に嵌め込まれる。
内ビード８ａ、外ビード８ｂを嵌め込むと、各ビードのパネル押え片２６，３０とシール部２７，３１がパネル６ａ，６ｂに圧着して両パネルの縁部が両側から弾力的に保持され、且つパネル小口面とパネル取付溝の底１０ａ，１０ｂとの間に中間ビード７ｂの溝底当接部１４，１４が介在するため、パネル６ａ，６ｂは枠１７内で面内方向や面外方向にガタ付くことがなく、且つ高い遮音性を発揮できる。
【００１３】
図６は、この扉１６をパチンコ遊技機前面に取付けられる表枠３２の裏側に取付けた状態を示している。表枠３２は、遊技盤の遊技領域を臨む窓３３が形成してあり、表枠３２裏側の一方の縦枠部には扉支持金具３４が取付けてあり、他方の縦枠部には施錠具３５が取付けてある。扉１６は、ヒンジ部１５の垂直軸１５ｂを扉支持金具３４に設けた孔に上から差し込むことで開閉自在に、且つ簡易に着脱可能に取付けられ、扉の係止板部２２を施錠具３５に係止することで、施錠される。
【００１４】
次に、この扉１６を組み立てる手順を説明する。まず、三方枠３と下枠４の内外パネル取付溝６ａ，６ｂに中間ビード７ａ，７ｂをそれぞれ取付ける。次に、図１に示すように、左右のコーナー連結具５ａ，５ｂの横辺部１３ａ，１３ｂを下枠４の保持溝１４に差し込み、かしめ固定する。内パネル６ａと外パネル６ｂは、三方枠３の内パネル取付溝９ａと外パネル取付溝９ｂにそれぞれ差し込んで取付けておく。次に、左右のコーナー連結具５ａ，５ｂの縦辺部１２ａ，１２ｂを三方枠３の縦枠部１ａ，１ｂの保持溝１４に差し込み、三方枠３と下枠４の端部同士を突き合わせると共に、内パネル６ａと外パネル６ｂの下縁部を下枠４のパネル取付溝９ａ，９ｂに差し込み、コーナー連結具の縦辺部１２ａ，１２ｂを保持溝１４にかしめ固定する。最後に、扉１６の表側と裏側から内ビード８ａと外ビード８ｂをパネル取付溝９ａ，９ｂの側壁１１ａ，１１ｄとパネル６ａ，６ｂの間にそれぞれ嵌め込み、パネル６ａ，６ｂを固定する。
【００１５】
以上に述べたように、本扉１６は、三方枠３と下枠４とを二つのコーナー連結具５ａ，５ｂで連結して枠１７を構成してあり、且つ両コーナー連結具５ａ，５ｂの縦辺部１２ａ，１２ｂにヒンジ部１５と施錠用の係止板部２２を一体に設けたことで、部品数が非常に少なくなっており、しかも、中間ビード７ａ，７ｂのみを三方枠３と下枠４に先付けして、パネル６ａ，６ｂの周縁部を三方枠３と下枠４のパネル取付溝９ａ，９ｂに差し込むので、図４（ｂ）に示すように、パネル取付溝９ａ，９ｂに対してパネル６ａ，６ｂが融通性があるため、パネル６ａ，６ｂの枠１７への取付けが容易に行え、且つ三方枠３と下枠４とをコーナー連結具５ａ，５ｂで連結する際に同時にパネル６ａ，６ｂを取付けできるため、扉１６の組み立てを短時間で簡単に行うことができる。
さらに、内ビード８ａと外ビード８ｂをあとからパネル取付溝の側壁１１ａ，１１ｄとパネル６ａ，６ｂの間にそれぞれ嵌め込むことで、パネル６ａ，６ｂの枠１７への固定が容易に行え、尚且つ図４（ｃ）に示すように、各パネル６ａ，６ｂ周縁部が中間ビード７ａ，７ｂと内ビード８ａないし外ビード８ｂとによって三方から保持されてパネル取付溝９ａ，９ｂ内に嵌まり込んでいるので、パネル６ａ，６ｂが面内方向や面外方向にガタ付くことがないように強固に枠１７に固定できる。
さらに、三方枠３と下枠４の外周側に保持溝１４を形成し、保持溝１４にコーナー連結具５ａ，５ｂの縦辺部１２ａ，１２ｂと横辺部１３ａ，１３ｂを差し込んでかしめ固定したので、三方枠３の縦枠部１ａ，１ｂと下枠４との位置合わせが容易で組立てが一層容易に行え、且つコーナー連結具５ａ，５ｂの縦辺部１２ａ，１２ｂと横辺部１３ａ，１３ｂがぶれないので、ねじれに強い堅牢な扉になる。また、コーナー連結具５ａの縦辺部１２ａにヒンジ部１５を一体に設けたことで、パネル６ａ，６ｂの自重、三方枠３と下枠４との接合力がヒンジ部１５に直接伝わるため、下枠４が外れてパネル６ａ，６ｂが脱落することがないし、ヒンジ部１５がガタついて扉が傾くことがない。また本扉１６は、ビス止めを使用していないため、組み立てが容易に行えると共に、ビスが緩んで枠にガタが生ずるようなことがない。
【００１６】
本発明は、以上に述べた実施形態に限定されない。三方枠３は、上枠部２に直線部分を有するものであってもよい。パネル６ａ，６ｂは、樹脂製のパネルであってもよい。コーナー連結具５ａ，５ｂは、三方枠３と下枠４とのコーナー部において両者を接合保持できるものであればよく、縦辺部と横辺部を断面コ字形やＬ字形に形成したものでもよいし、例えば図７（ａ）に示すように、金属の板をＬ形に折り曲げて縦枠部１ａと下枠４の外周面にビス３６で固定するものや、図７（ｂ）に示すように、Ｌ形に切断した金属の板を縦枠部１ａと下枠４の見付面にビス３６で固定するもの、図７（ｃ）に示すように、四角い形状の金属の板を縦枠部１ａと下枠４の見付面にビス３６で固定するものであってもよい。内ビードと外ビードは、実施形態のものでは分離することなく一本に形成したが、いくつかに分離してあってもよい。本発明の遊技盤の前面扉は、パチンコ遊技機に限らず、スロットマシンやピンボール等、あらゆる遊技盤の前面扉として使用できる。
【図面の簡単な説明】
【００１７】
【図１】本発明の遊技盤の前面扉を分解した状態で示す正面図である。
【図２】本発明の遊技盤の前面扉の正面図である。
【図３】（ａ）は図２のＡ−Ａ断面図、（ｂ）は図２のＢ−Ｂ断面図である。
【図４】下枠のパネル取付溝に、パネルを取付け・固定する手順を順に示す縦断面図である。
【図５】（ａ）は左側のコーナー連結具を示す斜視図であり、（ｂ）は右側のコーナー連結具を示す斜視図である。
【図６】本発明の遊技盤の前面扉の取付状態を示すパチンコ遊技機の表枠の背面図である。
【図７】コーナー連結具の他の例を示す縦枠部と下枠との連結部の正面図である。
【符号の説明】
【００１８】
１ａ，１ｂ  縦枠部  
２  上枠部
３  三方枠
４  下枠
５ａ，５ｂ  コーナー連結具  
６ａ  内パネル
６ｂ  外パネル  
７ａ，７ｂ  中間ビード  
８ａ  内ビード
８ｂ  外ビード  
９ａ  内パネル取付溝
９ｂ  外パネル取付溝  
１０ａ，１０ｂ  パネル取付溝の底
１１ａ  内パネル取付溝の側壁
１１ｂ，１１ｃ  内外パネル取付溝間の側壁
１１ｄ  外パネル取付溝の側壁
１２ａ，１２ｂ  縦辺部
１３ａ，１３ｂ  横辺部
１４  保持溝
１５  ヒンジ部
１６  扉  
【図１】
2007202992.tif 000003
【図２】
2007202992.tif 000004
【図３】
2007202992.tif 000005
【図４】
2007202992.tif 000006
【図５】
2007202992.tif 000007
【図６】
2007202992.tif 000008
【図７】
2007202992.tif 000009